(57)【要約】      （修正有）【課題】結露回収具をアーチパイプに結合でき、併せて、結露回収具の上方に展張されているシートがシート止め材の端部に接触しても、このシートの破断を防止できるビニールハウスの結露回収装置を提供する。【解決手段】結露回収具Ａと、結露回収具Ａに着脱自在に結合するジョイントＢと、ジョイントＢをアーチパイプＰからなる骨組に結合するユニバーサルジョイントＣとからなり、結露回収具Ａは本体１０と、本体１０の上側に設けたシート止め材挿入用の第１、第２の差込溝５、６と、第１，第２の差込溝５，６に接続する集水口７及び樋溝９ａ，９ｂとを有し、上記第1の差込溝５の一端に着脱自在にジョイントＢを挿入し、ジョイントＢの端部にユニバーサルジョイントＣを結合し、ユニバーサルジョイントＣをアーチパイプＰに結合し、これにより上記ジョイントＢとユニバーサルジョイントＣを介して結露回収具ＡをアーチパイプＰに取付けることを特徴とする。【選択図】図１
2007195504.tif 000002
【特許請求の範囲】
【請求項１】
結露回収具と、結露回収具に着脱自在に結合するジョイントと、ジョイントをアーチパイプからなる骨組に結合するユニバーサルジョイントとからなり、結露回収具は本体と、本体の上側に設けたシート止め材挿入用の第１，第２の差込溝と、第１，第２の差込溝に接続する集水口及び樋溝とを有し、上記第1の差込溝の一端に着脱自在にジョイント挿入し、ジョイントの端部にユニバーサルジョイントを結合し、ユニバーサルジョイントをアーチパイプに結合し、これにより上記ジョイントとユニバーサルジョイントを介して結露回収具をアーチパイプに取付けることを特徴とするビニールハウスにおける結露回収装置。
【請求項２】
結露回収具と、結露回収具に着脱自在に結合するジョイントと、ジョイントをアーチパイプからなる骨組に結合するユニバーサルジョイントと、結露回収具上に配置されるカバーとからなり、結露回収具は本体と、本体の上側に設けたシート止め材挿入用の第１，第２の差込溝と、第１，第２の差込溝に接続する集水口及び樋溝とを有し、上記第1の差込溝の一端に着脱自在にジョイントを挿入し、ジョイントの端部に互いに反対方向に向けてユニバーサルジョイントとカバーとを結合し、ユニバーサルジョイントをアーチパイプに結合し、これにより上記ジョイントとユニバーサルジョイントとを介して結露回収具をアーチパイプに取付けると共に上記第１，第２の差込溝に差し込んだシート止め材の上部を上記カバーで覆うことを特徴とするビニールハウスにおける結露回収装置。
【請求項３】
ジョイントが平板本体と、平板本体の両側に形成した切欠きと、平板本体の端部に形成した取付け孔とからなる請求項１又は２に記載のビニールハウスにおける結露回収装置。
【請求項４】
カバーが上方に向けて湾曲する断面Ｕ字状又はコ字状のカバー本体と、カバー本体の端部に設けた連結片と、連結片に形成した取付け孔とからなる請求項２又は３に記載のビニールハウスにおける結露回収装置。
【発明の詳細な説明】
【技術分野】
【０００１】
本発明は、アーチパイプ等の骨組上に展張した透明又は半透明な合成樹脂シートの内面に付着した結露水又は破断個所等から侵入した雨水等を回収するビニールハウスにおける結露回収装置に関し、特に、結露回収具をアーチパイプに直接取付けでき、併せて、結露回収具の上方に展張しているシートの破断も併せて防止できるビニールハウスの結露回収装置に関する。
【背景技術】
【０００２】
一般に、アーチパイプ等の骨組上に透明なビニールシートを展張した温室たるビニールハウスではハウス内の室温や湿度がハウス外の大気より高く、又作物に水を与えてこの水が蒸発することから、ビニールシートの室内側内面に多数の結露が付着する。
【０００３】
この結露は、これを放置しておくとビニールシートの内面を流下してある重みになると土壌上に落下し、室内で作業する作業者が不快になるばかりでなく、作物の根腐れ、病気を起し、植物の育成に多大な悪影響を及ぼす。
【０００４】
そこで、この不具合を解消するため、本出願人は、例えば、特許文献１に開示されたような結露回収装置を開発している。
【０００５】
このビニールハウスの結露回収装置は、結露回収具と、結露回収具の両側に嵌合させたシート止め材とからなり、シート止め材はシート止め溝と結露受け部とを有し、結露回収具は本体と、本体の上側に設けたシート止め材差しみ込用の第１，第２の差込溝と、第１，第２の差込溝の途中に下方に向けて設けた集水口と、集水口に接続した排水ノズルとを備え、更に、本体の両側と前側とに互いに連通する左右一対の樋溝と前側の樋溝とを設け、両側の樋溝にそれぞれ第１，第２の差込溝を連通させると共に前側の樋溝に集水口を連通させたものである。
【０００６】
この結露回収装置によれば、シート止め材を伝わる結露が上記集水口や樋溝に回収され排水ノズルを介して外部に排出されるようになっている。
【特許文献１】特許第３５９１５８２号公報（請求項，図面参照）
【発明の開示】
【発明が解決しようとする課題】
【０００７】
上記従来の結露回収装置では、機能上特に欠陥がある分けではないが、次のような不具合の改善が望まれている。
【０００８】
第１に、結露回収具は、第１，第２の差込溝の左右両端から差し込んだ左右一対のシート止め材で支えられるようになっているため、両方のシート止め材が結露回収の両サイドに存在していない部位では結露回収具を取付けられないという不具合がある。
【０００９】
例えば、ビニールハウスの屋根面端部や側面端部の近くに結露回収具を配置させたい場合があるが、この部分には骨組としてアーチパイプしか存在しておらず、結果的に結露回収装置を設置できない不具合がある。
【００１０】
第２に、結露回収具の本体には左右一対のシート止め材が結合され、これらのシート止め材の対向する端部間にはシート止め材を位置決めするストッパが介在するため、このストッパの巾分の隙間が各シート止め材の端部間に発生する。
【００１１】
然るに、各シート止め材の端部は、ビニールハウスの施工現場でその都度任意に切断される場合が多く、その結果、この端部が鋭角になっていたり、バリが残ったりしており、これらの鋭角部分やバリに展張されたシートが接触し、風雨時に擦れ、長時間の使用中にこのシートが破断してしまう恐れがある。
【００１２】
そこで、本発明は、結露回収具をアーチパイプにも結合でき、併せて結露回収具の上方に展張されているシートがシート止め材の端部に接触しても、このシートの破断を防止できるビニールハウスの結露回収装置を提供することである。
【課題を解決するための手段】
【００１３】
上記の目的を達成するため、本発明の一つの手段は、結露回収具と、結露回収具に着脱自在に結合するジョイントと、ジョイントをアーチパイプからなる骨組に結合するユニバーサルジョイントとからなり、結露回収具は本体と、本体の上側に設けたシート止め材挿入用の第１、第２の差込溝と、第１，第２の差込溝に接続する集水口及び樋溝とを有し、上記第1の差込溝の一端に着脱自在にジョイントを挿入し、ジョイントの端部にユニバーサルジョイントを結合し、ユニバーサルジョイントをアーチパイプに結合し、これにより上記ジョイントとユニバーサルジョイントを介して結露回収具をアーチパイプに取付けることを特徴とするものである。
【００１４】
同じく、他の手段は、結露回収具と、結露回収具に着脱自在に結合するジョイントと、ジョイントをアーチパイプからなる骨組に結合するユニバーサルジョイントと、結露回収具上に配置されるカバーとからなり、結露回収具は本体と、本体の上側に設けたシート止め材挿入用の第１，第２の差込溝と、第１，第２の差込溝に接続する集水口及び樋溝とを有し、上記第1の差込溝の一端に着脱自在にジョイントを挿入し、ジョイントの端部に互いに反対方向に向けてユニバーサルジョイントとカバーとを結合し、ユニバーサルジョイントをアーチパイプに結合し、これにより上記ジョイントとユニバーサルジョイントとを介して結露回収具をアーチパイプに取付けると共に上記第１，第２の差込溝に差し込んだシート止め材の上部を上記カバーで覆うことを特徴とするものである。
【００１５】
上記各手段において、ジョイントが平板本体と、平板本体の両側に形成した切欠きと、平板本体の端部に形成した取付け孔とからなるのが好ましい。
【００１６】
同じく、カバーが上方に向けて湾曲する断面Ｕ字状又はコ字状のカバー本体と、カバー本体の端部に設けた連結片と、連結片に形成した取付け孔とからなっているのが好ましい。
【発明の効果】
【００１７】
本発明によれば、次の効果が得られる。
【００１８】
１）各請求項の発明によれば、ジョイントとユニバーサルジョイントを備えているから、これらの部材を介して、例えば、ビニールハウスの屋根面の端部又は側面の端部における骨組みたるアーチパイプに結露回収具を取付できる。
【００１９】
２）請求項２の発明によれば、カバーを備えているので、このカバーをシート止め材と結露回収具との上部を覆うことにより、結露回収具の上方に展張されているシートがシート止め材の端部に接触せず、シートの破断を防止できる。
【００２０】
３）請求項３の発明によれば、ジョイントが切欠きを備えているので、平板本体を結露回収具に形成されている本体の端部やシート止め材を案内するガイドフレームと干渉することなくスムースに差込溝に挿入できる。
【００２１】
４）請求項４の発明は、カバーが上方に向けて湾曲する断面Ｕ字状又はコ字状のカバー本体を備えているから、結露回収具の上方に展張されているシートがこのカバー本体の上面にのみに接触し、シートの破断をより効果的に防止できる。
【発明を実施するための最良の形態】
【００２２】
以下、本発明の実施の形態を図にもとづいて説明するが、本発明に係るビニールシートの結露回収装置の基本構造は、図１の分解図から分かるように、結露回収具Ａと、結露回収具Ａに着脱自在に結合するジョイントＢと、ジョイントＢをアーチパイプＰからなる骨組に結合するユニバーサルジョイントＣとからなる。
【００２３】
更に、展張されたシートＳが摩耗したり、破断したりするのを防止するカバーＤを備えている。
【００２４】
結露回収具ＡをアーチパイプＰに取付けるだけの場合にはカバーＤは無くても良いが、使用中にシートＳがシート止め材２の端部２ａに接触して破断するのを防止しようとする場合はこのカバーＤでシート止め材２の端部２ａをカバーＤで覆ってシートＳがこの端部２ａに接触するのを防止させるようになっている。
【００２５】
そこで、カバーＤを備えている結露回収装置を基に詳しく説明するが、本発明の結露回収装置は、上記特許文献１に示す結露回収装置における一方のシート止め材に代えてジョイントＢとカバーＤを取付けたものである。
【００２６】
即ち、この結露回収装置は、結露回収具Ａと、結露回収具Ａに着脱自在に結合するジョイントＢと、ジョイントＢをアーチパイプＰからなる骨組に結合するユニバーサルジョイントＣと、結露回収具Ａ上に配置されるカバーＤとからなる。
【００２７】
そして、結露回収具Ａは、本体１０と、本体１０の上側に設けたシート止め材２挿入用の第１，第２の差込溝５，６と、第１，第２の差込溝５，６に接続する集水口７及び樋溝９ａ，９ｂとを有し、上記第1の差込溝５の一端に着脱自在にジョイントＢを挿入し、ジョイントＢの端部に互いに反対方向に向けてユニバーサルジョイントＣとカバーＤとを結合し、ユニバーサルジョイントＣをアーチパイプＰに結合し、これにより、上記ジョイントＢとユニバーサルジョイントＣとを介して結露回収具ＡをアーチパイプＰに取付けると共に上記第１，第２の差込溝５，６に差し込んだシート止め材２の上部を上記カバーＤで覆うようにしている。
【００２８】
ジョイントＢは、平板本体３０と、平板本体３０の両側に形成した切欠き３１，３２と、平板本体３０の端部に形成した取付け孔３３とからなっている。
【００２９】
ユニバーサルジョイントＣは、半割れ型のリング３７と、リングの端部に形成した取付け孔３８と、取付け孔３８に装着するボルト３９とナットと４０とからなっている。
【００３０】
更に、カバーＤが上方に向けて湾曲する断面Ｕ字状又はコ字状のカバー本体３４と、カバー本体３４の端部に設けた連結片３５と、連結片３５に形成した取付け孔３６とからなっている。
【００３１】
シート止め材２は、高さの異なる二つのシート止め溝３，３と結露受け部４とを有し、これは、図２に示すように、ジョイント２１を介してビニールハウスのアーチパイプ２２に固定され、シート止め材２のシート止め溝３，３に係止線条Ｋで定着されたビニール等からなるシートＳがアーチパイプ２２上に展張され、あるいは、換気用の巻き取りシートとして使用されている。
【００３２】
このように、シートＳを展設した時シートＳのハウス内側内面に多数の結露が付着し、この結露がある重さになるとシートＳの内側に沿って流下してシート止め材２に当り、この時、各結露は、結露受け部４内に落ち込み、この結露受け部４を介して結露回収具Ａの本体１０内に流れ込み、更、図３に示すように、本体１０に接続されたホース２０より樋２３に回収される。
【００３３】
シートＳは、換気用に使用する場合、上記したようにシート止め材２に定着され、図３に示すようにシートＳの一端が巻き取り軸２４に巻き付けられて換気用シートとして使用される。
【００３４】
結露回収具Ａは、本体１０と、本体１０の上側に設けたシート止め材２におけるシート止め溝用の第１の差込溝５と、同じく結露受け部用の第２の差込溝６と、第１，第２の差込溝５，６の途中に前後方向に横断し且つ下方に向けて設けた集水口７と、集水口７に接続した排水ノズル８とを備えている。
【００３５】
更に、本体１０の左右両側と前側とに互いに連通する左右一対の樋溝９ａ，９ｂと前側の樋溝９ｃとを設け、両側の樋溝９ａ，９ｂにそれぞれ第１，第２の差込溝５，６の両側開口部を直接連通させると共に前側の樋溝９ｃに集水口７を連通させている。
【００３６】
この場合、左右一対の樋溝９ａ，９ｂと前側の樋溝９ｃとは本体１０の両側と前側とに一体に連設した断面Ｌ字状のフレーム１１，１２，１３とで構成され、両側のフレーム１１，１２の上端は、第１，第２の差込溝５，６の底面５ａ，６ａより低く成形されている。
【００３７】
更に、前側のフレーム１３にはフローガイド２６を下方に向けて一体に設け、このフローガイド２６の外端には集水口７と前側の樋溝９ｃに連通する排水ノズル８を水平方向に向けて設けている。
【００３８】
更に、本体１０の上面には第１，第２の差込溝５，６を区画するように規制するガイドフレーム１６を長手方向に沿って起立しており、他方、シート止め材２の底部中間にはこのガイドフレーム１６に嵌合する溝２ｂが長手方向に沿って形成されている。
【００３９】
又、上記ガイドフレーム１６には集水口７に対応する位置にストッパ２７を起立させ、このストッパ２７に片側たる右側から差し込んだシート止め材２の端部を当接して当該シート止め材２の嵌合ストロークを規制させている。
【００４０】
排水ノズル８にはホース２０を差し込み、このホース２０は、アーチパイプ２２に沿って樋２３側又はハウス外に延びている。
【００４１】
シートＳの内面に付着した結露は、結露受け部４を介して結露回収具Ａの本体１０方向に水となって流れ、本体１０ではこの水は集水口７に流れ込み、更に、排水ノズル８とホース２０を介して外部に排出される。
【００４２】
この際、集水口７に流れずに、一部の水がシート止め材２の下面と結露回収具Ａの本体１０の上面との間の隙間を介して漏れ出ることがあるが、この漏れた水は、左右の樋溝９ａ，９ｂに回収され、更に前側の樋溝９ｃを介してホース２０側に排出されるので、結露回収具Ａの両サイドから水がハウス内に落下するのが防止できる。
【００４３】
更に、結露は、シートＳの内面のみならずシート止め材２自体の底面にも付着し、これが本体１０側に結露水として流れる場合があるが、この場合であっても、左右の樋溝９ａ，９ｂを規制する両側のフレーム１１，１２の上面は、本体１０の上面より底いので、このフレーム１１，１２とシート止め材２との間には隙間ができ、シート止め材２の下面を流下する結露水はフレーム１１，１２に干渉されず、隙間を介して本体１０まで流れ、本体１０に当った時落下して樋溝９ａ，９ｂ内に回収され、この為、シート止め材２から結露水がぽたぽたとハウス内に落下するのが防止される。
【００４４】
ストッパ２７は、シート止め材２の嵌合ストロークを規制するものであるが、これが集水口７の上方に位置し、シート止め材２における溝フレーム１７の高さレベルを均一にして水平にする。
【００４５】
上記結露回収具Ａは、シート止め材２と反対側である左側に差し込んだジョイントＢを介して端部側アーチパイプＰに取付けられ、この際、ジョイントＢは、平板状であるから簡単に差込溝５内に挿入される。
【００４６】
また、両サイドには切欠き３１，３２が形成されているから、平板本体３０を挿入した時結露回収具Ａにおけるガイドフレーム１６の側壁や本体端部１０Ａと干渉しないようにしている。
【００４７】
ジョイントＢとカバーＤとはユニバーサルジョイントＣに対して各取付け孔３３，３６とボルト３９を介して取付けられ、更に、カバーＤの本体３４が結露回収具Ａの本体１０に被さり、当該本体３４は、右側のシート止め材２の端部近傍を覆う。
【００４８】
以上のように、結露回収具ＡがジョイントＢとユニバーサルジョイントＣを介して端部側アーチパイプＰの取付けられ、カバーＤがシート止め材２の端部２ａ，２ａを覆ってシートＳと接触するのを防止するからシートＳの摩耗、破断を防止できる。
【図面の簡単な説明】
【００４９】
【図１】本発明に係る結露回収装置の一部切欠き分解斜視図である。
【図２】結露回収装置をビニールハウスに取付けた状態の部分斜視図である。
【図３】結露回収装置を取付けたビニールハウスの部分斜視図である。
【図４】図２中のＸ‐Ｘ線位置拡大断面図である。
【図５】図４中のＹ‐Ｙ線位置拡大断面図である。
【符号の説明】
【００５０】
Ａ  結露回収具
Ｂ  ジョイント
Ｃ  ユニバーサルジョイント
Ｄ  カバー
Ｐ  アーチパイプ
２  シート止め材
３  シート止め溝
４  結露受け部
５  第１の差込溝
６  第２の差込溝
７ 集水口
８  排水ノズル
９ａ，９ｂ，９ｃ    樋溝
１０  本体
【図１】
2007195504.tif 000003
【図２】
2007195504.tif 000004
【図３】
2007195504.tif 000005
【図４】
2007195504.tif 000006
【図５】
2007195504.tif 000007